(57)【要約】【課題】建築用電動シャッター装置において、巻取りドラムが支持される左右の支持ブラケットの左右内方側面に電線を固定するにあたり、コスト削減を図ると共に、電線の取外し、再固定を支持ブラケットの左右内方側から行なえるようにする。【解決手段】支持ブラケット６に、互いに対向する一対の係止溝６ｉと該係止溝６ｉの一端部同士を連通する連通溝６ｊとからなる結束部材係止用孔６ｈを穿孔し、支持ブラケット６の左右内方側から連通溝６ｊに結束バンド２３の中間部を挿入して係止溝ｉ側に移動させることで一対の係止溝６ｉ間に結束バンド２３を掛け回し、該結束バンド２３で支持ブラケット６の左右内方側面に配された電線２２を結束するように構成した。【選択図】図３
2014214524.tif 000002
【特許請求の範囲】
【請求項１】
シャッターケースを構成する左右の支持ブラケットに、シャッターカーテンが巻装される巻取りドラムの左右両端部を回転自在に支持してなる建築用電動シャッター装置において、前記支持ブラケットの左右内方側面に沿うようにして電線を配設すると共に、該電線を支持ブラケットの左右内方側面に固定せしめるにあたり、支持ブラケットに、互いに対向する一対の係止溝と該一対の係止溝の一端部同士を連通する連通溝とからなる結束部材係止用孔を穿孔する一方、支持ブラケットの左右内方側から結束部材用係止孔の連通溝に結束部材の中間部を挿入して係止溝側に移動させることで一対の係止溝間に結束部材を掛け回し、該結束部材で前記支持ブラケットの左右内方側面に配された電線を結束することで該電線を固定するように構成したことを特徴とする建築用電動シャッター装置における配線固定構造。
【請求項２】
係止溝と連通溝とのあいだの溝内周部に、一対の係止溝間に掛け回された結束部材が連通溝側にずれてしまうことを防止するべく溝外周側に向けて突出する突部を設けたことを特徴とする請求項１に記載の建築用電動シャッター装置における配線固定構造。
【発明の詳細な説明】
【技術分野】
【０００１】
本発明は、住宅やビル等の開口部に建付けられる建築用電動シャッター装置における配線固定構造の技術分野に関するものである。
【背景技術】
【０００２】
一般に、建築用電動シャッター装置のなかには、シャッターケースを構成する左右の支持ブラケットに、シャッターカーテンが巻装される巻取りドラムの左右両端部を回転自在に支持し、電動開閉機の駆動に基づく巻取りドラムの正逆回転によりシャッターカーテンを巻出し、巻取りして開口部を開閉するように構成されたものがあるが、このものにおいて、例えば巻取りドラムの筒内に電動開閉機が内装されているような場合に、電動開閉機に接続される電線を前記左右の支持ブラケットの左右内方側面に沿わせるようにして配する場合がある。この様に電線を左右の支持ブラケットの左右内方側面に沿わせるようにして配する場合、該電線が巻取りドラムから巻出し、巻取りされるシャッターカーテンに干渉しないように、電線をなるべく支持ブラケットの左右内方側面から内方に突出させない状態で支持ブラケットに固定することが要求される。また、支持ブラケットに固定した電線を、メンテナンス作業時等に支持ブラケットから取外して再度固定するような場合があり、このような場合に電線の取外し、再固定が容易なように電線を固定することも要求される。さらに、支持ブラケットの左右外方側が化粧カバーで覆われていると共に該化粧カバーの取外しが困難なものがあり、このようなものにも対応できるようにするため、支持ブラケットの左右内方側からのみで電線の取外し、再固定を行なえるようにすることも要求されている。
そこで従来、支持ブラケットの左右内方側面に配線固定具（クランプ）をビス等により止着し、該配線固定具を用いて電線を固定するようにした技術が知られている（例えば、特許文献１参照。）。また、支持ブラケットに左右内方側に突出する切り起こしを加工し、該切り起こしを用いて電線を固定するようにすることも提唱される。
【先行技術文献】
【特許文献】
【０００３】
【特許文献１】特開２０００−１９２７５７号公報
【発明の概要】
【発明が解決しようとする課題】
【０００４】
しかしながら、前記特許文献１のように配線固定具を用いて電線を固定する場合、該配線固定具は予め支持ブラケットに止着されることになるが、該止着手段がビス等の螺子によるものであると止着するのに手間がかかり、また、止着手段が貼着によるものであると充分な強度を確保できない惧れがある。一方、切り起こしを用いて電線を固定する場合には、支持ブラケットに切り起しを加工するための専用の加工金型が必要となり、特に多品種小量生産を行なうような場合にはコストが高くなるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、シャッターケースを構成する左右の支持ブラケットに、シャッターカーテンが巻装される巻取りドラムの左右両端部を回転自在に支持してなる建築用電動シャッター装置において、前記支持ブラケットの左右内方側面に沿うようにして電線を配設すると共に、該電線を支持ブラケットの左右内方側面に固定せしめるにあたり、支持ブラケットに、互いに対向する一対の係止溝と該一対の係止溝の一端部同士を連通する連通溝とからなる結束部材係止用孔を穿孔する一方、支持ブラケットの左右内方側から結束部材用係止孔の連通溝に結束部材の中間部を挿入して係止溝側に移動させることで一対の係止溝間に結束部材を掛け回し、該結束部材で前記支持ブラケットの左右内方側面に配された電線を結束することで該電線を固定するように構成したことを特徴とする建築用電動シャッター装置における配線固定構造である。
請求項２の発明は、係止溝と連通溝とのあいだの溝内周部に、一対の係止溝間に掛け回された結束部材が連通溝側にずれてしまうことを防止するべく溝外周側に向けて突出する突部を設けたことを特徴とする請求項１に記載の建築用電動シャッター装置における配線固定構造である。
【発明の効果】
【０００６】
請求項１の発明とすることにより、電線の固定作業を効率良く行なうことができるうえ、メンテナンス時等に支持ブラケットの左右内方側からの作業だけで電線の取外し、再固定を行うことができる。しかも、結束部材用係止孔はプレスで打ち抜き加工できるから、コスト削減に大きく貢献できる。
請求項２の発明とすることにより、結束部材が連通溝側にずれて結束部材用係止孔から抜け出てしまうことを回避できて、確実な電線の固定を行えることになる。
【図面の簡単な説明】
【０００７】
【図１】建築用電動シャッター装置の概略正面図である。
【図２】シャッターケースの一部切欠き正面図である。
【図３】図２のＸ−Ｘ断面図である。
【図４】（Ａ）、（Ｂ）、（Ｃ）、（Ｄ）は支持ブラケットの正面図、側面図、背面図、底面図である。
【図５】（Ａ）は図３のＹ−Ｙ断面拡大図、（Ｂ）は電線固定の手順を示す図である。
【図６】（Ａ）は結束部材用係止孔を示す図、（Ｂ）、（Ｃ）、（Ｄ）、（Ｅ）は他例における結束部材用係止孔を示す図である。
【発明を実施するための形態】
【０００８】
以下、本発明の実施の形態について、図面に基づいて説明する。図面において、１は建築用電動シャッター装置の一例である窓シャッターを構成するシャッターカーテンであって、該シャッターカーテン１は、開口部の上方に設けたシャッターケース２に内装される巻取りドラム３に巻装されており、該巻取りドラム３が後述する電動開閉機４の駆動に基づいて正逆回転することによりシャッターカーテン１が巻出し、巻取りされて、開口部の左右両側に立設されたガイドレール５に案内される状態で開口部の開閉を行なうように構成されており、これらの基本的構成は従来通りである。
【０００９】
６は前記シャッターケース２を構成する左右の支持ブラケットであって、これら左右の支持ブラケット６のうち一方の支持ブラケット６（図１、図２において右側の支持ブラケット６）には、左右方向を向く固定軸７の基端部（右側端部）が一体的に支持され、また、他方の支持ブラケット６（図１、図２において左側の支持ブラケット６）には、前記電動開閉機４の基端部（左側端部）が一体的に支持されていると共に、該電動開閉機４の出力軸４ａと固定軸７とは同軸上となるように設定されている。そして、前記固定軸７の両端部外周および電動開閉機４の基端部外周には、それぞれドラムサポート８が回転自在に設けられており、さらにこれらドラムサポート８の外周に、前記シャッターカーテン１が巻装される巻取りドラム３の内周が一体的に連結されており、これにより、巻取りドラム３の左右両端部が左右の支持ブラケット６に回転自在に支持されると共に、巻取りドラム３内に電動開閉機４が内装される構成になっている。一方、電動開閉機４の出力軸４ａには、動力伝動体８ａが一体的に設けられ、該動力伝動体８ａを介して電動開閉機４の回転駆動力が巻取りドラム３に動力伝動され、これによって巻取りドラム３の正逆回転が行われるようになっている。尚、本実施の形態において、前記電動開閉機４は、電動モータ、減速機、ブレーキ装置等、巻取りドラム３を電動で正逆回転するに必要な各種機器を具備したものとしてユニット化されたものになっている。また、建築用電動シャッター装置１の仕様に応じて、図示しないが、固定軸７の基端側および先端側ドラムサポート８の間に、一端側がドラムサポート８に固定され、他端側が固定軸７に固定されて、巻取りドラム３がシャッターカーテン１の閉鎖方向に回転することに伴い蓄勢されるバランス弾機が配設される。
【００１０】
ここで、前記左右の支持ブラケット６は、左右勝手違いの形状のものであって、縦平板状のブラケット本体６ａと、該ブラケット本体６ａの後縁部から左右内方に向けて折曲形成された背面板６ｂと、該背面板６ｂの上端部から上方に延びる取付け片６ｃと、ブラケット本体６ａの上縁部から左右内方に向けて折曲形成された上側フランジ片６ｄと、ブラケット本体６ａの前縁部から左右内方に向けて折曲形成された前側フランジ片６ｅと、ブラケット本体６ａの下縁部から左右内方に向けて折曲形成された前後の下側フランジ片６ｆ、６ｇとを備えている。そして、前記ブラケット本体６ａに、前述した固定軸７或いは電動開閉機４の基端部が支持される構成になっていると共に、取付け片６ｃおよび背面板６ｂの上部がビス等の固定手段（図示せず）を介して開口部上方の躯体側に固定されるようになっている。さらに左右の支持ブラケット６同士は、左右両端部が左右の支持ブラケット６にそれぞれ溶着等により固着され、シャッターケース２上部の前後に懸架される第一、第二ケースアングル９、１０、およびシャッターケース２下部の前後に懸架される第三、第四ケースアングル１１、１２によって一体的に連結されている。ここで第四ケースアングル１２は、シャッターカーテン１をガイドレール５に導くためのスペースを確保するため、前後方向中間位置に配され、シャッターカーテン１は、該第四ケースアングル１２の後側を通って巻取りドラム３からガイドレール５に至るようになっている。
【００１１】
また、前記シャッターケース２は、前述した左右の支持ブラケット６、該左右の支持ブラケット６を左右外方側から覆蓋する左右の化粧カバー１３、左右の支持ブラケット６間に設けられる上下のケース板１４、１５とを備えて構成されているが、上ケース板１４は、シャッターケース２の上面と前面上半部とを構成すべく側面視において逆Ｌ字形に折曲された上面部１４ａと前面部１４ｂとを備えている。さらに、上ケース板１４の上面部１４ａの後端には上方に向けて延びる取付け片１４ｃが形成され、また、前面部１４ｂの下端部には、後述する下ケース板１５の前面部１５ａの上端部が下側から嵌入する係止受け部１４ｄが形成されている。そして、上ケース板１４は、上面部１４ａおよび前面部１４ｂの左右両側部が左右の支持ブラケット６の上側フランジ片６ｄ、前側フランジ片６ｅに上側から組付けられると共に、取付け片１４ｃが開口部上方の躯体側にビス等の固定手段（図示せず）を介して固定されるようになっている。尚、取付け片１４ｃの左右両端部は、左右の支持ブラケット６の取付け片６ｃの前側に位置する状態で該取付け片６ｃと共に躯体側に固定されるようになっている。
【００１２】
一方、下ケース板１５は、シャッターケース２の前面下半部と下面とを構成すべく側面視においてＬ字形に折曲された前面部１５ａと下面部１５ｂとを備えて構成されているが、前面部１５ａの上端部は、前記上ケース板１４の係止受け部１４ｄに下側から抜き差し自在に嵌入するようになっている。そして、下ケース板１５は、下面部１５ｂが前記左右の支持ブラケット６同士を連結する第三、第四ケースアングル１１、１２に下側から当てがわれた状態で該第三、第四ケースアングル１１、１２にビス１６を介して着脱自在に固定されるようになっており、而して、該ビス１６を緩めて下ケース板１５を取外すことによって、シャッターケース２の前面下半部および下面を開口させることができ、ここからシャッターケース２内の機器部品のメンテナンスや、後述する電線２２の固定、取外し等を行なうことができるようになっている。
【００１３】
また、１７はシャッターケース２の左方方向中間部に配される補強板であって、該補強板１７は、該補強板１７の上部に形成された上側フック部１７ａが前記上ケース板１４の係止受け部１４ｄに上側から外嵌係止し、また、補強板１７の下部に形成された下側フック部１７ｂが前記第三ケースアングル１１に下側から外嵌係止するように構成されている。これにより、シャッターケース２の下部前側に懸架される第三ケースアングル１１の左右方向中間部を、補強板１７を介して上ケース板１４に支持せしめることができるようになっている。
【００１４】
さらに、前記左右の化粧カバー１３は、左右勝手違いの形状のものであって、左右の支持ブラケット６のブラケット本体６ａと間隔を存する状態で対向し、該ブラケット本体６ａの左右外方側を覆蓋するカバー本体１３ａと、該カバー本体１３ａの上縁部、前縁部、下縁部からそれぞれ左右内方に向けて折曲形成され、前記上ケース板１４および下ケース板１５の左右両端部を覆蓋する上側フランジ片１３ｂ、前側フランジ片１３ｃ、下側フランジ片１３ｄとを備えて形成されていると共に、支持ブラケット６および上ケース板１４にビス等の固定手段（図示せず）を介して固定されるようになっている。ここで、前記下ケース板１５の左右端縁は、下ケース板１５が第三、第四ケースアングル１１、１２に固定された状態で、カバー本体１３ａの左右内方面に対して隙間を存するように設定されている。そして、下ケース板１５を取外す場合に、前記ビス１６を緩めて第三、第四ケースアングル１１、１２との固定を解除した後、下ケース１５を左右何れか一方にずらして該一方端をカバー本体１３ａの左右内方側面に当接するか近接対向させると、下ケース板１５の他方端は他方の化粧カバー下側フランジ片１３ｄの左右内端から抜け出すように構成されており、これにより、下ケース板１５を簡単に取外すことができるようになっている。
【００１５】
一方、前記左右の支持ブラケット６のうち電動開閉機４の基端部が支持される左側支持ブラケット６には、ブラケット本体６ａの左右内方側面に、該左右内方側面の前側下部に溶着等により固着された第一支持片１８を介して、前記電動開閉機４の開閉駆動制御を行なう制御盤１９が取付支持されており、また、左右内方側面の後側下部に溶着等により固着された第二支持片２０を介して、押釦スイッチから出力される操作信号や送信機から出力される遠隔操作信号を受信する操作信号受信機２１が取付支持されている。そして、シャッターケース２の外部から操作信号受信機２１内に導かれた電力供給用の電線２２や操作信号用の電線２２が、操作信号受信機２１から制御盤１９に至るように配線されると共に、該制御盤１９から電動開閉機４に至るように電線２２が配線されるが、これらの電線２２は、左右の支持ブラケット６のブラケット本体６ａの左右内方側面に沿うようにして配されると共に、後述するように結束バンド（本発明の結束部材に相当する）２３を介してブラケット本体６ａの左右内方側面に固定されるようになっている。
【００１６】
つまり、前記左右の支持ブラケット６のブラケット本体６ａには、前記電線２２が配線される適宜箇所に、前記結束バンド２３が係止する結束部材係止用孔６ｈが複数穿孔されている。該結束部材係止用孔６ｈは、互いに対向する平行状の一対の係止溝６ｉと、該一対の係止溝６ｉの一端部同士を連通する連通溝６ｊとからなるコ字形状のものであって、タレットパンチプレス等のプレスを用いた打ち抜き加工により形成される。そして、支持ブラケット６の左右内方側から前記結束部材係止用孔６ｈの連通溝６ｊに結束ハンド２３の中間部を挿入して該結束バンド２３を係止溝６ｉ側に移動させることで、一対の係止溝６ｉ間に結束バンド２３を掛け回すことができるようになっていると共に、該掛け回わされた結束バンド２３をブラケット本体６ａの左右内方側面に配された電線２２に巻回して結束することで、該電線２２をブラケット本体６ａの左右内方側面に固定することができるようになっている。尚、前記連通溝６ｊの溝幅は、結束バンド２３を挿入しやすいように結束バンド２３のバンド幅よりも幅広の方が望ましい。
【００１７】
ここで、本実施の形態において、前記電動開閉機４から制御盤１９に至る電線２２は、支持ブラケット６のブラケット本体６ａに支持された電動開閉機４の基端部から後側上方に向けて引出された後、前方に向けて折り返されてブラケット本体６ａの前側上部に至り、さらにここから下方に向けて湾曲状に折曲されて、ブラケット本体６ａの前側下部に取付けられた制御盤１９に至るように配線されている。そして、該電線２２を固定するための結束部材係止用孔６ｈは、電動開閉機４の後側上方、電動開閉機４の前側上方、および制御盤１９の少し上方の都合３箇所に設けられていて、前記前方に向けて折り返された直後の箇所、ブラケット本体６ａの前側上部から下方に向けて湾曲状に折曲された箇所、および制御盤１９の少し上方の箇所の３箇所において結束バンド２３により電線２２が固定されるようになっている。この場合に、電動開閉機４の後側上方に設けられる結束部材係止用孔６ｈは、一対の係止溝６ｉがブラケット本体６ａの前後方向を向き、連通溝６ｊが上下方向を向くと共に、連通溝６ｊが係止溝６ｉの後側に位置するように形成されている。また、電動開閉機４の前側上方に設けられる結束部材係止用孔６ｈは、一対の係止溝６ｉが前低後高となるように傾斜し、連通溝６ｊが前高後低となるように傾斜すると共に、連通溝６ｊが係止溝６ｉの後側に位置するように形成されている。さらに、制御盤１９の少し上方に設けられる結束部材係止用孔６ｈは、一対の係止溝６ｉが上下方向を向き、連通溝６ｊが前後方向を向くと共に、連通溝６ｊが係止溝６ｉの上側に位置するように形成されている。
一方、操作信号受信機２１から制御盤１９に至る電線２２は、操作信号受信機２１から前方に直線状に延びて制御盤１９に至るように配線されている。そして、該電線２２を固定するための結束部材係止用孔６ｈは、ブラケット本体６ａ下部の前側、前後方向中間部、後側の都合３箇所に設けられていて、前記操作信号受信機２１から制御盤１９に至る電線２２の前側、前後方向中間部、後側の都合３箇所が結束バンド２３により固定されるようになっている。この場合に、前側に設けられる結束部材係止用孔６ｈは、一対の係止溝６ｉがブラケット本体６ａの前後方向を向き、連通溝６ｊが上下方向を向くと共に、連通溝６ｊが係止溝６ｉの後側に位置するように形成されている。また、前後方向中間部に設けられる結束部材係止用孔６ｈは、前記前側に設けられる結束部材係止用孔６ｈと同様に、一対の係止溝６ｉがブラケット本体６ａの前後方向を向き、連通溝６ｊが上下方向を向くと共に、連通溝６ｊが係止溝６ｉの後側に位置するように形成されている。さらに、後側に設けられる結束部材係止用孔６ｈは、一対の係止溝６ｉがブラケット本体６ａの前後方向を向き、連通溝６ｊが上下方向を向くと共に、連通溝６ｊが係止溝６ｉの前側に位置するように形成されている。
そして、このように結束部材係止用孔６ｈが設けられる箇所や向きを、電線２２の配設方向や長さ等に応じて適宜設定することによって、電線２２を確実に固定することができると共に、固定作業を行ない易いようになっている。
【００１８】
次いで、前記電線２２を固定する手順の詳細について、図５に基づいて説明すると、まず、ブラケット本体６ａの左右内方側面に配された電線２２と左右内方側面との間に、結束バンド２３を挿入する。次いで、結束バンド２３の中間部を結束部材係止用孔６ｈの連通溝６ｊに挿入して該連通溝６ｊ内に没入させる。これにより、結束バンド２３の中間部は連通溝６ｊからブラケット本体６ａの左右外方側に突出するが、この状態で結束バンド２３を係止溝６ｉ側に移動させる。これにより、結束バンド２３は、中間部がブラケット本体６ａの左右外方側に位置し、両端側がブラケット本体６ａの左右内方側に位置する状態で、一対の係止溝６ｉ間に掛け回される。そして、該掛け回された結束バンド２３を電線２２に巻回して結束することで、該電線２２はブラケット本体６ａの左右内方側面に固定される。この様にして、ブラケット本体６ａの左右内方側面に配された電線２２を、該ブラケット本体６ａの左右内方側からの作業だけで、容易かつ確実に固定できるようになっている。尚、電線２２をブラケット本体６ａの左右内方側面から取外す場合には、結束バンド２３を切断するか、或いは再使用可能な結束バンド２３ならば前述した手順とは逆の手順で結束バンド２３を取外せば良いが、どちらにしてもブラケット本体６ａの左右内方側からの作業だけで簡単に行うことができる。
【００１９】
さらに、前記一対の係止溝６ｉと連通溝６ｊとのあいだの溝内周部には、溝外周側に向けて突出する突部６ｋが形成されている。そして、該突部６ｋによって、前記一対の係止溝６ｉ間に掛け回された結束バンド２３が連通溝６ｊ側にずれてしまうことを防止できるようになっており、これにより、より確実な電線２２の固定がなされるように構成されている。
【００２０】
叙述の如く構成された本形態において、シャッターケース２を構成する左右の支持ブラケット６には、シャッターカーテン１が巻装される巻取りドラム３の左右両端部が回転自在に支持されるが、該巻取りドラム３の筒内には、巻取りドラム３を正逆回転せしめるべく駆動する電動開閉機４が内装されており、該電動開閉機４に至る電線２２が支持ブラケット６の左右内方側面に沿うようにして配線される。さらに、該配線された電線２２は、巻取りドラム３から巻出し、巻取されるシャッターカーテン１に干渉しないように、支持ブラケット６の左右内方側面に固定されることになるが、この場合に、支持ブラケット６には、互いに対向する一対の係止溝６ｉと該一対の係止溝６ｉの一端部同士を連通する連通溝６ｊとからなる結束部材係止用孔６ｈが穿設されている。そして、支持ブラケット６の左右内方側から結束部材用係止孔６ｈの連通溝６ｊに結束バンド２３の中間部を挿入して該結束バンド２３を係止溝６ｉ側に移動させることで、一対の係止溝６ｉ間に結束バンド２３が掛け回され、該掛け回された結束バンド２３で前記支持ブラケット６の左右内方側面に配された電線２２を結束することで、該電線２２は支持ブラケット６の左右内方側面に固定されることになる。
【００２１】
このように、本発明が実施されたものにおいては、支持ブラケット６の左右内方側面に沿うように配された電線２２を該左右内方側面に固定するにあたり、支持ブラケット６に穿孔された結束部材用係止孔６ｈに支持ブラケット６の左右内方側から結束バンド２３を掛け回し、該結束バンド２３で電線２２を結束するだけの簡単な作業で電線２２を固定できることになる。この結果、電線２２の固定作業を効率良く行なうことができるうえ、メンテナンス時等に支持ブラケット６の左右内方側から、つまり、シャッターケース２の内方側からの作業だけで電線２２の取外し、再固定を行なえることになり、而して、シャッターケース２の躯体側への納り状態等によって支持ブラケット６の左右外方側を覆蓋する化粧カバー１３を取外すことが困難なような場合であっても、該化粧カバー１３はそのままの状態で容易に電線２２の取外し、再固定作業を行なえることになる。
【００２２】
しかも、前記支持ブラケット６に穿孔された結束部材用係止孔６ｈは、タレットパンチプレス等のプレスで打ち抜き加工できるものであるから、電線固定用の切り起こしを形成する場合のように専用の加工金型を必要とせず、コスト削減に大きく貢献できる。そのうえ、支持ブラケット６に穿孔の結束部材用係止孔６ｈに掛け回された結束バンド２３で電線２２を結束することになるから、可及的に支持ブラケット６の左右内側面から突出しない状態で電線２２を左右内側面に固定できることになる。
【００２３】
さらにこのものにおいて、前記係止溝６ｉと連通溝６ｊとのあいだの溝内周部には、一対の係止溝６ｉ間に掛け回された結束バンド２３が連通溝６ｊ側にずれてしまうことを防止するための突部６ｋが設けられている。これにより、結束バンド２３が連通溝６ｊ側にずれて結束部材用係止孔６ｈから抜け出てしまうことを確実に回避でき、よって、確実な電線２２の固定を行なえることになる。
【００２４】
尚、本発明は上記実施の形態に限定されないことは勿論であって、例えば、支持ブラケットに穿孔される結束部材用係止孔としては、上記実施の形態ではコ字形状に形成されているが、図６（Ｂ）に示す結束部材用係止孔２４の如く、一対の係止溝２４ａの一端部同士を連通する連通溝２４ｂを半円状に形成したもの、また、図６（Ｃ）、（Ｄ）に示す結束部材用係止孔２５、２６の如く、一対の係止溝２５ａ、２６ａの一端部同士を連通する連通溝２５ｂ、２６ｂを半多角形状に形成したものであっても良い。尚、前記図６（Ｂ）、（Ｃ）、（Ｄ）において、２４ｃ、２５ｃ、２６ｃは結束部材が連通溝２４ｂ、２５ｂ、２６ｂ側にずれてしまうことを防止するための突部である。さらに、図６（Ｅ）に示す結束部材用係止孔２７の如く、係止溝２７ａと連通溝２７ｂとによりＣ形状となるように形成したものであっても良く、このものでは、結束部材用係止孔２７がＣ形状に形成されていることによって、係止溝２７ａと連通溝２７ｂとのあいだの溝内周側に結束部材が連通溝２７ｂ側にずれてしまうことを防止するための突部２７ｃが形成されている。
【００２５】
また、上記実施の形態では、左側の支持ブラケットに電線が固定される構成になっているが、右側の支持ブラケットに電線が固定される構成のものであっても、同様にして本発明を実施できることは勿論である。さらに、上記実施の形態では、操作信号受信機から制御部に接続される電源用、操作信号用の電線と、制御部から電動開閉機に至る電線とが支持ブラケットの左右内方面に固定される構成になっているが、支持ブラケットの左右内方面に固定される電線としてはこれらに限らず、例えば障害物検知手段から制御部に至る電線等の種々の電線の固定に本発明を実施することができる。
【産業上の利用可能性】
【００２６】
本発明は、住宅やビル等の開口部に建付けられる建築用電動シャッター装置において、シャッターケースを構成する左右の支持ブラケットに電線を固定する場合に利用することができる。
【符号の説明】
【００２７】
１    シャッターカーテン
２    シャッターケース
３    巻取りドラム
６    支持ブラケット
６ｈ  結束部材係止用孔
６ｉ  係止溝
６ｊ  連通溝
６ｋ  突部
２２  電線
２３  結束バンド
【図１】
2014214524.tif 000003
【図２】
2014214524.tif 000004
【図３】
2014214524.tif 000005
【図４】
2014214524.tif 000006
【図５】
2014214524.tif 000007
【図６】
2014214524.tif 000008